(57)【要約】【課題】  既存の実験台を廃棄することなくそのまま利用することができ、また、排気管を床面に埋めるような大規模な工事を行うことなく、実験台上で発生する有害ガスを確実に排気できるようにする【解決手段】  下端開口部（８ａ）に設けた吸込フード（Ｆ）を昇降自在且つ任意の位置で停止可能に保持するフレキシブルダクト（８）の上端側開口部（８ｂ）を接続する複数の吸気接続口（７）と、排気ダクト（１０）を接続する排気接続口（９）を、天井（２）に吊下設置されるケーシング（３）に形成し、その内部に、フレキシブルダクト（８）の吸込フード（Ｆ）から空気を吸い込んで排気ダクト（１０）へ吐き出す排気ファン（１１）を設けた。【選択図】図１
0003115606.tif 000002
【実用新案登録請求の範囲】
【請求項１】
下端開口部に設けた吸込フードを昇降自在且つ任意の位置で停止可能に保持するフレキシブルダクトの上端側開口部を接続する複数の吸気接続口と、排気ダクトを接続する排気接続口が、天井に吊下設置されるケーシングに形成されると共に、そのケーシング内部に、前記フレキシブルダクトの吸込フードから空気を吸い込んで排気ダクトへ吐き出す排気ファンが配されたことを特徴とする局所排気ユニット。
【請求項２】
前記ケーシングが、前記吸気接続口を形成した集合チャンバと、前記排気ファンを設置する機械室に仕切られ、排気ファンの吸込口が集合チャンバと機械室の仕切板に開口形成されると共に、その吐出口が機械室に形成された排気接続口に接続された請求項１記載の局所排気ユニット。
【請求項３】
前記吸込フードに、フレキシブルダクトの下端開口部を開閉するダンパが配された請求項１〜３記載の局所排気ユニット。
【請求項４】
前記吸込フードに、異物吸込防止フィルタが取り付けられた請求項１〜４記載の局所排気ユニット。
【請求項５】
天井に吊下設置される中継チャンバを設けた延長ダクトを接続するダクト接続口が、前記ケーシングに形成され、前記中継チャンバの底面に前記フレキシブルダクトの上端開口部を接続する吸気接続口が形成された請求項１〜５記載の局所排気ユニット。
【請求項６】
前記ケーシングは、その周面の天井寄りに排気接続口及びダクト接続口が開口形成されると共に、その底面に吸気接続口が開口形成された請求項６記載の局所排気ユニット。
【請求項７】
前記各吸込フードに排気ファンを起動／停止させるスイッチが設けられると共に、該スイッチはそのひとつがオンされたときに排気ファンが起動され、全てがオフされたときに排気ファンが停止されるように成された請求項１〜６記載の局所排気ユニット。
【請求項８】
前記スイッチが、吸込フードに設けられたダンパに連動してオンオフされるようになされた請求項７記載の局所排気ユニット。
【考案の詳細な説明】
【技術分野】
【０００１】
本考案は、化学品を取り扱う実験室・研究室などの天井面に設置して、実験台で発生する有害ガスを排出するための局所排気ユニットに関する。
【背景技術】
【０００２】
研究室や実験室等で化学品を調合したり、これらを試験管レベルで化学反応させたりする場合に、有害ガスが実験室内に流出したり、作業者が誤って有害ガスを吸引したりしないように、通常はドラフトチャンバ内で作業することとし、これにより有害なガス等を外部へ誘導排出して安全性を確保している。
【特許文献１】特開２００３−２６９７６３号公報
【０００３】
しかしながら、ドラフトチャンバは、もともと複数の作業者の同時使用を前提とするものではなく、間口がせいぜい２ｍ弱程度しかないことから同時使用しても作業者二人が限度である。
また、価格も設置コストも数百万と高額であるところから、作業者の人数に応じた十分な台数が設置されているところは少なく、したがって、大学やその他の実験室など学生や研究者の数が多いところでは、簡単な薬剤の調合は排気装置のない普通の実験台で行うこともあり、これが不慮の事故の原因となっている。
【０００４】
このため、実験台の手前側に吹出口、向う側に吸込口を形成し、天板表面に沿って手間側から向こう側へ流れる空気流を形成するもの（特許文献２）や、天板や天板中央に立設される薬品棚下段や天板に吸込口を設けたものが提案されている（特許文献３及び４）。
【特許文献２】実開昭６１−４４２２９号公報
【特許文献３】特開平６−１４２５２９号公報
【特許文献４】実開平３−４３３２８号公報
【０００５】
しかし、これらはいずれも実験台に排気管が接続されることから、その排気管を床下に埋める大規模な床工事を必要とするため、予めそのように設計されていればともかく、床に排気管を埋めることを前提にしていない建造物では、設置することが困難であるという問題があった。
また、既存の実験台を利用することはできないので、これらを廃棄物として処分しなければならず、ゴミの発生を助長することとなり、環境保護の観点からも好ましくない。
【考案の開示】
【考案が解決しようとする課題】
【０００６】
そこで本考案は、既存の実験台を廃棄することなくそのまま利用することができ、また、排気管を床面に埋めるような大規模な工事を行うことなく、実験台上で発生する有害ガスを確実に排気できるようにすることを技術的課題としている。
【課題を解決するための手段】
【０００７】
この課題を解決するために、請求項１の局所排気ユニットは、下端開口部に設けた吸込フードを昇降自在且つ任意の位置で停止可能に保持するフレキシブルダクトの上端側開口部を接続する複数の吸気接続口と、排気ダクトを接続する排気接続口が、天井に吊下設置されるケーシングに形成されると共に、そのケーシング内部に、前記フレキシブルダクトの吸込フードから空気を吸い込んで排気ダクトへ吐き出す排気ファンが配されたことを特徴としている。
請求項２の局所排気ユニットは、ケーシングが、前記吸気接続口を形成した集合チャンバと、前記排気ファンを設置する機械室に仕切られ、排気ファンの吸込口が集合チャンバと機械室の仕切板に開口形成されると共に、その吐出口が機械室に形成された排気接続口に接続されて成る。
請求項３の局所排気ユニットは、吸込フードに、フレキシブルダクトの下端開口部を開閉するダンパが配されている。
請求項４の局所排気ユニットは、吸込フードに、異物吸込防止フィルタが取り付けられている。
請求項５の局所排気ユニットは、天井に吊下設置される中継チャンバを設けた延長ダクトを接続するダクト接続口が前記ケーシングに形成され、前記中継チャンバの底面に前記フレキシブルダクトの上端開口部を接続する吸気接続口が形成されている。
請求項６の局所排気ユニットは、ケーシングの周面の天井寄りに排気接続口及びダクト接続口が開口形成されると共に、ケーシングの底面に吸気接続口が開口形成されている。
請求項７の局所排気ユニットは、各吸込フードに排気ファンを起動／停止させるスイッチが設けられると共に、該スイッチはそのひとつがオンされたときに排気ファンが起動され、全てがオフされたときに排気ファンが停止されるように成されている。
請求項８の局所排気ユニットは、排気ファンのスイッチが、吸込フードに設けられたダンパに連動してオンオフされるようになされている。
【考案の効果】
【０００８】
請求項１に係る局所排気ユニットによれば、ケーシングを例えば既存の実験台の真上の天井に設置し、その吸気接続口にフレキシブルダクトの上端側開口部を接続し、排気接続口に排気ダクトを接続する。
そして、実験台で薬剤を調合するときは、フレキシブルダクトを引っ張ってその下端開口部に取り付けられた吸込フードを降ろせば、任意の高さで停止させることができる。
この状態で、排気ファンを起動させれば、実験台近傍の空気が吸込フードから吸い込まれ、フレキシブルダクト−吸気接続口−排気ファン吸込口−吐出口−排気接続口−排気ダクトを経て外部に排出される。
ケーシングを実験台の大きさに応じて形成し、複数のフレキシブルダクトを所定のピッチで設ければ、吸込フードを実験台の任意の場所におろすことができるので、実験台のどこで調合しても確実に排気させることができる。
また、薬剤の調合が終了したときは、フレキシブルダクトを縮めることにより、吸込フードを邪魔にならない高さに退避させることができる。
【０００９】
また、請求項２のように、ケーシングを集合チャンバと機械室に仕切れば、有害ガスが流通する集合チャンバのみ耐薬品処理を施せば足り、有害ガスが流通しない機械室の内面や排気ファンの外面に対薬品処理を施す必要がない。
請求項３のように、吸込フードにフレキシブルダクトの下端開口部を開閉するダンパを設ければ、各吸込フードごとに簡単に風量調節を行うことができる。
請求項４のように、吸込フードに異物吸込防止フィルタを取り付けておけば、実験台上に置かれた小物類を誤って吸い込むことがない。
【００１０】
請求項５のように、天井に吊下設置される中継チャンバを設けた延長ダクトをケーシングに接続すれば、ケーシングを実験台の真上に設置しなくても、中継チャンバを実験台の真上に設置することにより、実験台にフレキシブルダクトを垂下させることができる。
請求項６のように、ケーシングの周面の天井寄りに排気接続口及びダクト接続口が開口形成されていれば、ダクト類を長いブラケットで天井からぶら下げずに、天井に確りと固定することができるので安全性が高く、収まりもよい。
また、ダクト類を天井近傍に配管できることから、照明の陰ができることもない。
【００１１】
請求項７のように、吸込フードに設けられたスイッチのひとつがオンされたときに排気ファンが起動されるようになされているので、どの吸込フードを利用するときも、その場で排気ファンを起動できる。
また、全てがオフされなければ排気ファンが停止されないので、利用するときに必ずスイッチをオンしておけば、他の作業者がスイッチをオフすることにより排気ファンが停止される誤動作がなく、全員の作業が終了したときには全てのスイッチがオフされて排気ファンが停止される。
ここで、請求項８のように、排気ファンのスイッチを吸込フードに設けられたダンパに連動させ、ダンパを開いたときにオンされ、閉じたときにオフされるようにしておけば、全てのダンパが閉じられていなければ、排気ファンが停止されないので、他の作業者がダンパを開いて作業しているときに排気ファンが停止されることはあり得ず、誤動作を起こすことがない。
【考案を実施するための最良の形態】
【００１２】
本例では、既存の実験台を廃棄することなくそのまま利用することができ、排気管を床面に埋める大規模な工事を行うことなく、実験台上で発生する有害ガスを確実に排気するという目的を達成するために、下端開口部に設けた吸込フードを昇降自在且つ任意の位置で停止可能に保持するフレキシブルダクトの上端側開口部を接続する複数の吸気接続口と、排気ダクトを接続する排気接続口が、天井に吊下設置されるケーシングに形成されると共に、その内部に、前記フレキシブルダクトの吸込フードから吸い込んだ空気を排気ダクトへ吐き出す排気ファンを設けた。
【００１３】
図１は本考案に係る局所排気ユニットの一例を示す説明図、図２はその正面から見た断面図、図３はその側面から見た断面図である。
【実施例１】
【００１４】
本例の局所排気ユニット１は、天井２に吊下設置されるケーシング３が仕切板４を介して下段の集合チャンバ５と上段の機械室６に上下に仕切られている。
そして、下段の集合チャンバ５の底面には複数の吸気接続口７が形成され、下端開口部８ａに設けた吸込フードＦを昇降自在且つ任意の位置で停止可能に保持するフレキシブルダクト８…の上端側開口部８ｂが接続されている。
本例では、四つの吸気接続口７が形成され、その前後の間隔が、実験台Ｄの中央に標準設置される試薬棚Ｔの幅（約３０ｃｍ）より幅広（約９０ｃｍ）に選定されている。
【００１５】
また、上段の機械室６には、その周面に排気接続口９が形成され、排気を室外へ導く排気ダクト１０が接続されると共に、排気ファン１１が配され、その吸込口１２が仕切板４に開口形成されると共に、その吐出口１３が排気接続口９に接続されており、フレキシブルダクト８の吸込フードＦから吸い込んだ空気を排気ダクト１０へ吐き出すようになっている。
このように、ケーシング３を集合チャンバ５と機械室６に仕切れば、有害ガスが流通する集合チャンバ５のみ耐薬品処理を施せば足り、有害ガスが流通しない機械室６の内面や排気ファン１１の外面に対薬品処理を施す必要がない。
【００１６】
また、前記ケーシング３には、天井２に吊下設置される中継チャンバ１４を設けた延長ダクト１５を接続するダクト接続口１６が形成され、本例では、延長ダクト１５を天井近傍で配管することができるように、仕切板４から機械室６を貫通して、ケーシング３の周面の天井寄り、即ち、機械室６の周面に開口形成されている。
中継チャンバ１４には、その周面に延長ダクトを接続するダクト接続口１７が形成されるとともに、その底面にフレキシブルダクト８の上端開口部８ｂを接続する吸気接続口１８が形成されている。
【００１７】
吸込フードＦには、フレキシブルダクト８の下端開口部８ａを開閉するダンパ１９が設けられると共に、金属ネット若しくは耐薬品繊維からなる異物吸込防止フィルタ２０が取り付けられている。
また、夫々の吸込フードＦに前記ダンパ１９に連動して排気ファン１１を起動／停止させるスイッチＳが設けられると共に、このスイッチＳはそのひとつがオンされたときに排気ファン１１が起動され、全てがオフされたときに排気ファン１１が停止されるように配線されている。
すなわち、ダンパ１９の一つがわずかでも開けば排気ファン１１が起動され、全てのダンパ１９が閉じられたときに停止される。
なお、スイッチＳの電気的配線は、フレキシブルダクト８内を通り、その上端開口部８ｂに設けられたアタッチメント２１と、ケーシング３及び中継チャンバ１４の吸気接続口７及び１８に形成されたアタッチメント２２を係合させることにより導通されるようになっている。
【００１８】
以上が考案の一構成例であって、次にその作用について説明する。
まず、ケーシング３を例えば既存の実験台Ｄの真上の天井２に固定して吊下設置し、その吸気接続口７にフレキシブルダクト８の上端側開口部８ｂを接続し、排気接続口９に排気ダクト１０を接続する。
また、実験台Ｄの長さに応じて、ダクト接続口１６に延長ダクト１５を接続し、フレキシブルダクト８を垂下させたい位置の真上の天井２に中継チャンバ１４を固定して吊下設置し、その吸気接続口１７にフレキシブルダクト８の上端側開口部８ｂを接続して、設置作業を完了する。
このように、延長ダクト１５を介して中継チャンバ１４をケーシング３から離れたところ設置できるので、ケーシング３を小型にしても、広い実験台Ｄ全域をカバーすることができる。
また、設置工事は、天井にケーシング、中継チャンバ及びダクト類を取り付けるだけで足り、配管類を床下に埋める面倒な床工事は一切不要である。
【００１９】
このとき、排気接続口９及びダクト接続口７はケーシング３の周面天井寄りに開口形成されているので、排気ダクト１０、延長ダクト１５、中継チャンバ１４などを長いブラケットなどで天井からぶら下げずに、天井に確りと固定することができるので安全性が高く、収まりもよい。
また、ダクト類を天井近傍に配管できることから、照明の陰ができることもない。
【００２０】
実験台Ｄで薬剤を調合するときは、吸込フードＦを引っ張ってフレキシブルダクト８を伸ばせば、手を離したところで吸込フードＦは停止されるので、任意の高さに調節できる。
この状態で、吸込フードＦのダンパ１９を開けばこれに連動したスイッチＳにより排気ファン１１が起動される。
【００２１】
このとき、各吸込フードＦに設けられたスイッチＳのひとつがオンされたときに排気ファン１１が起動するので、どの吸込フードＦを利用するときも、その場で排気ファン１１を起動できる。
そして、またダンパ開度により風量を調節すれば、実験台Ｄ近傍の空気が所定の風量で吸込フードＦから吸い込まれ、フレキシブルダクト８−吸気接続口７（１８）−排気ファン吸込口１２−吐出口１３−排気接続口９−排気ダクト１０を経て室外に排出される。
【００２２】
このように、複数のフレキシブルダクト８を所定のピッチで設ければ、吸込フードＦを実験台Ｄの任意の場所におろすことができ、硬めのフレキシブルダクト８を使用すればダクト８を屈曲状態に維持できるので、実験台Ｄのどこで調合しても確実に排気させることができる。
また、吸込フードＦには異物吸込防止フィルタ２０が取り付けられているので、実験台Ｄ上に置かれた小物類を誤って吸い込むことがない。
【００２３】
そして、薬剤の調合が終了したときは、ダンパ１９を閉じることにより吸込フードＦからの空気の吸い込みを停止させ、フレキシブルダクト８を縮めることにより、吸込フードＦを邪魔にならない高さに退避させることができる。
このとき、ダンパ１９に連動したスイッチＳがオフされるが、全てのダンパが閉じられていなければ、排気ファン１１が停止されないので、他の作業者がダンパ１９を開いて作業しているときに排気ファン１１は停止されることはあり得ず、誤動作を起こすことがない。
【００２４】
なお、必要に応じて、排気ファン１１の吸込口１２に活性炭などの吸着剤を充填した吸着フィルタを装着すれば、各吸込フードＦから吸引された有毒ガスが吸着フィルタに吸着され、そのまま大気に漏洩することもない。また、ケーシング３の底面にメンテナンス口（図示せず）を設けておけば吸着フィルタを容易に交換し得る。
【産業上の利用可能性】
【００２５】
本考案は、化学品を取り扱う実験室・研究室などの天井面に設置して、作業台で発生する有害ガスを排出する用途に適用しうる。
【図面の簡単な説明】
【００２６】
【図１】本考案に係る局所排気ユニットの一例を示す説明図。
【図２】その正面から見た断面図。
【図３】その側面から見た断面図。
【符号の説明】
【００２７】
１    局所排気ユニット
２    天井
３    ケーシング
７    吸気接続口
８    フレキシブルダクト
９    排気接続口
１０  排気ダクト
１１  排気ファン
Ｆ    吸込フード
【図１】
0003115606.tif 000003
【図２】
0003115606.tif 000004
【図３】
0003115606.tif 000005